(57)【要約】【課題】球通路の入口の前で、球が、螺旋体と螺旋体の周辺の構造体との間に挟まれることによって、球詰まりを発生しやすい。【解決手段】タンク構造体２の内部に設けられた払出構造体４がタンク構造体２に貯蔵された球を１個ずつ分離し、この分離された球が払出構造体４から球通路（賞球通路１５３；球抜通路１００）に自重落下する遊技機の球払出装置１において、払出構造体４は、払出軸８２と螺旋体８５とを備え、螺旋体８５は、払出軸８２の一端（左端部８３）から払出軸８２の他端（右端部８４）の方向に球を運搬するように払出軸８２の外周面から径方向外側に螺旋形状に突出した構造であって、螺旋体８５が球通路の入口１５６；１５７の真上に存在しないように球通路よりも払出軸８２の一端（左端部８３）側に配置されたことを特徴とする。【選択図】図１
2007135993.tif 000002
【特許請求の範囲】
【請求項１】
タンク構造体の内部に設けられた払出構造体がタンク構造体に貯蔵された球を１個ずつ分離し、この分離された球が払出構造体から球通路に自重落下する遊技機の球払出装置において、払出構造体は、払出軸と螺旋体とを備え、螺旋体は、払出軸の一端から払出軸の他端の方向に球を運搬するように払出軸の外周面から径方向外側に螺旋形状に突出した構造であって、螺旋体が球通路の入口の真上に存在しないように球通路よりも払出軸の一端側に配置されたことを特徴とする遊技機の球払出装置。
【請求項２】
螺旋体によって分離される相隣接し合う２個の球の球中心間の距離は、螺旋体から離れて自重落下する球とこの球に続いて螺旋体で運搬される球とが互いに接触することがない、寸法に設定されたことを特徴とする請求項１に記載の遊技機の球払出装置。
【発明の詳細な説明】
【技術分野】
【０００１】
本発明は、球詰まりを少なくできる遊技機の球払出装置に関する。
【背景技術】
【０００２】
遊技機の球払出装置には、次の構造を有するものが知られている。それは、タンク構造体の底面に開口部が形成され、開口部の下部に位置するように、タンク構造体の下部に払出機構が設けられ、払出機構における螺旋状の払出構造体がタンク構造体の内部に設けられ、払出機構の払出モータがタンク構造体の外部に設けられ、球がタンク構造体の内部に供給された状態において、払出モータが払出構造体を周方向に回転するように一方向に駆動することによって、払出構造体が球を１個ずつ分離してタンク構造体から払出球検出器の側に払い出している。払出構造体は、払出軸と螺旋体とを備え、螺旋体は、払出軸の軸心と平行な方向に球を１個ずつ分離する間隔で、払出軸の外周面から径方向外側に螺旋形状に突出した構造である。このような払出構造体を備えた遊技機の球払出装置の球払出動作について図９を参照して説明する。払出軸２０３と螺旋体２０２とを備えた払出構造体２００が図９のａ図に矢印ａで示す一方向に回転駆動すると仮定した場合、払出構造体２００の裏側に存在する球Ｐ１は螺旋体２０２から下向きの力を受けるので球収容底面２０１から持ち上げられることなく図外の球通路に自重落下する一方、球払出構造体２００の前側に存在する球Ｐ２は螺旋体２０２から上向きの力を受けるので球収容底面２０１から持ち上げられた後に球通路に自重落下する。つまり、球Ｐ２は、図９のａ図に示すように、仮想線で示す位置から実線で示す位置に持ち上げられた後に自重落下する。従来、払出構造体２００の螺旋体２０２が球通路の入口２０４の真上まで延長するように設置されているので、球Ｐ２が、仮想線で示す位置から実線で示す位置に持ち上げられた後の自重落下によって仮想線で示す位置に到達するまでにおいて、すなわち、球通路の入口２０４の前で、螺旋体２０２と螺旋体２０２の周辺にあるタンク構造体２０５のような構造体との間に挟まれることによって、球詰まりを発生する。
【特許文献１】特開平８−１０４１５号公報
【発明の開示】
【発明が解決しようとする課題】
【０００３】
発明が解決しようとする問題点は、球通路の入口の前で、球が、螺旋体と螺旋体の周辺の構造体との間に挟まれることによって、球詰まりを発生しやすいという点である。
【課題を解決するための手段】
【０００４】
本発明に係る遊技機の球払出装置は、タンク構造体の内部に設けられた払出構造体がタンク構造体に貯蔵された球を１個ずつ分離し、この分離された球が払出構造体から球通路に自重落下する遊技機の球払出装置において、払出構造体は、払出軸と螺旋体とを備え、螺旋体は、払出軸の一端から払出軸の他端の方向に球を運搬するように払出軸の外周面から径方向外側に螺旋形状に突出した構造であって、螺旋体が球通路の入口の真上に存在しないように球通路よりも払出軸の一端側に配置されたことを特徴とする。螺旋体によって分離される相隣接し合う２個の球の球中心間の距離は、螺旋体から離れて自重落下する球とこの球に続いて螺旋体で運搬される球とが互いに接触することがない、寸法に設定されたことも特徴とする。
【発明の効果】
【０００５】
本発明に係る遊技機の球払出装置によれば、螺旋体が球通路の入口の真上に存在しないように球通路よりも払出軸の一端側に配置されたことによって、球通路の入口の前で、球が、螺旋体と螺旋体の周辺の構造体との間に挟まれることが少なくなり、球詰まりを少なくできる。球間隔が、螺旋体から離れて自重落下する球とこの球に続いて螺旋体で運搬される球とが互いに接触することがない、寸法に設定されたことによって単位時間当たりに多くの球を払い出すことができるとともに球詰まりを少なくできる。
【発明を実施するための最良の形態】
【０００６】
最良の形態１
図１乃至図４は、最良の形態１を示す。図１は、球払出装置の断面を示す。図２は、球払出装置の構成を分解して示す。図３は、球払出装置の払出構造体と賞球通路及び球抜通路との関係を上から見て示し、図４は、球払出装置を備えたパチンコ遊技機を裏側から見て示す。本明細書において、「前」、「後」、「裏」、「左」、「右」、「上」、「下」の方向は、図２の状態に球払出装置１を置いて矢印Ａで示す前側から見た場合に特定される方向である。「後」と「裏」とは同じ方向である。
【０００７】
図１に示すように、遊技機の球払出装置１は、タンク構造体２および払出機構３を備える。払出機構３は、払出モータ１３により回転する払出構造体４を備える。払出構造体４は、払出軸８２と螺旋体８５とを備える。螺旋体８５は、払出軸８２の軸心と平行な方向に直径１１ｍｍの球を１個ずつ分離する間隔で、払出軸８２の外周面から径方向外側に螺旋形状に突出した構造である。払出機構３の基盤１５０の取込口１５１より左に突出する払出構造体４がタンク構造体２の上開口２１よりタンク構造体２の払出収容部に収容されて払出構造体４の軸部８６が払出軸受孔１７に回転可能に挿入されるとともに基盤１５０より左に突出する球検出器ホルダ１５２が下開口２２を経由して払出逃避穴１８の下方に位置された状態で、タッピングスクリューのような止ねじ７が払出機構３の機構躯体６の外側から機構躯体６の筐体取付部８を経由してタンク構造体２の機構取付部９に締結されることによって（図２参照）、払出機構３とタンク構造体２とが互いに一体となるように組み立てられ、球払出装置１が構成される。最良の形態１では、螺旋体８５は、払出軸８２の一端部である左端部８３から払出機構３の機構躯体６における基盤１５０の左表面１５５の位置までの払出軸８２の外周面に形成される。つまり、螺旋体８５は、球通路としての賞球通路１５３の入口１５６の真上及び球通路としての球抜通路１００の入口１５７の真上に存在しないように賞球通路１５３よりも払出軸８２の一端側である左端部８３側に配置される。さらに、螺旋体８５により形成される球間隔Ｈが、１８ｍｍになるように形成され、払出モータ１３の回転数が、１分間に球を７５０個払出せるように払出構造体４を回転させる値に設定されたことによって、球間隔Ｈが、螺旋体８５から離れて自重落下する球Ｐ２とこの球Ｐ２に続いて螺旋体８５で運搬される球Ｐ３とが互いに接触することがない、寸法に設定された。
【０００８】
図２に示すように、タンク構造体２は、球貯蔵部１０および基板収容部１５を備える。球貯蔵部１０および基板収容部１５の配置は、球貯蔵部１０が後側で、基板収容部１５が前側である。球貯蔵部１０は、遊技機設置構造体の補給機構から排出されたパチンコ球と呼ばれる球を貯蔵する部屋であって、上方に開口した箱形の部屋として構成される。球貯蔵部１０の底壁には、供給口１１、払出収容部１２、庇１６が設けられる。球貯蔵部１０の底壁における球と接触する底面は、球が球貯蔵部１０の周囲から供給口１１に向けて流れる斜面を形成する。供給口１１は、右側で前後方向の中央部に位置し、上下方向に貫通し、左右方向に長い方形に形成される。払出収容部１２は、供給口１１から下方に窪む空間を形成する。庇１６は、供給口１１の右側部を塞ぎ、球貯蔵部１０に貯蔵された球が払出構造体４に取り込まれて右側部に到達した球と干渉しないように、球貯蔵部１０から供給口１１への球の流入を阻止する。払出収容部１２の左側壁には、払出軸受孔１７が設けられる。払出収容部１２の底部には、払出逃避孔１８および異物排出孔１９が設けられる。
【０００９】
タンク構造体２の右側壁には、機構取付部９、上開口２１、下開口２２が設けられる。機構取付部９は、タンク構造体２の右側壁の四隅から右側に突出した筒状として構成される。上開口２１は、払出収容部１２の右側壁に対応する部分の全体を除去した形態であって、払出構造体４が挿入されることによって、払出構造体４の前後に球を１個ずつ払出機構３に供給する導出口を形成する。下開口２２は、払出球検出器５を取り込むように、左右方向への貫通孔として構成される。
【００１０】
球貯蔵部１０および基板収容部１５の間における隔壁２３には、補給検出機構２４および球切れ検出機構２５が装着される。補給検出機構２４は、球貯蔵部１０に貯蔵された球の個数が少ないことを検出して補給信号を出力する。補給信号が遊技店の店営業を管理するホールコンピュータに出力されることによって、ホールコンピュータが遊技機設置構造体の補給機構を駆動し、補給機構が球を球貯蔵部１０に補給する。球切れ検出機構２５は、球貯蔵部１０に貯蔵された球の個数が補給検出機構２４で検出する数量よりも少ないことを検出して球切れ信号を出力する。球切れ信号が遊技店の店営業を管理するホールコンピュータに出力されることによって、ホールコンピュータが補給機構から球貯蔵部１０への球の補給の行われない異常を遊技店の店員に知らせる報知処理を行う。基板収容部１５は、上方に開口した箱形の部屋として構成される。基板収容部１５の底壁には、中継基板２６が、上方からタッピングスクリューのような図外の止ねじで取り付けられる。中継基板２６は、球払出装置１に関係する電気部品の全ての配線を集中的に接続するものであって、プリント配線板のような回路基板の上面に、コネクタ２７を複数実装した構造である。コネクタ２７は、中継基板２６に付設されたプリント配線のような薄状の配線で、電気回路を構成するように相互に接続される。
【００１１】
払出機構３の下部には中継樋３１が連結される。中継樋３１は、賞球通路３２、抜球通路３３、連結体３６を備える。払出機構３が球貯蔵部１０に貯蔵された球を払い出す賞球払出機能および抜球を排出する球抜機能を備えたことから、中継樋３１が賞球通路３２および抜球通路３３を備えたが、払出機構３が賞球払出機能だけを備える場合は、中継樋３１が賞球通路３２を備えるだけである。
【００１２】
図１を参照し、払出機構３の構造を説明する。払出機構３は、機構躯体６、払出構造体４、払出モータ１３、中継基板４１、切替構造体９４、検出構造体１４４を備える。機構躯体６は、左側が開口した箱形である。払出構造体４の螺旋体８５は、払出軸８２の左端部８３から払出軸８２の中央部までの間の外周面に形成される。払出軸８２の右端側には従動歯車４４が設けられる。払出軸８２の螺旋体８５よりも左側に突出した左端部８３には、払出軸８２より細い軸部８６が同軸に突出する。機構躯体６の箱底５７には払出軸８２の右端部８４を回転可能に保持する軸受部７２が設けられる。
【００１３】
中継基板４１は、箱底５７より立設された基板取付部５１に取り付けられる。中継基板４１は、プリント配線板のような回路基板により構成される。中継基板４１の左面には、コネクタや抵抗やコンデンサなどの図外の電気部品、位置検出器６６、抜球検出器６７が実装されるとともに払出軸８２の右端部８４を軸受部７２の軸受穴７３に挿入するための逃げ穴６５が形成される。よって、払出構造体４の払出軸８２の右端部８４が逃げ穴６５を経由して軸受部７２の軸受穴７３に回転可能に保持される。
【００１４】
ステップモータのような払出モータ１３は、箱底５７より立設されたモータ取付部５０に取り付けられる。払出モータ１３のモータ軸のような駆動軸８１には駆動歯車４３が固定されており、駆動歯車４３と払出軸８２の従動歯車４４とが噛み合わされる。よって、払出モータ１３による回転駆動力が駆動歯車４３及び従動歯車４４を経由して払出軸８２に伝達されることで払出軸８２が回転する。従動歯車４４の左面には、突起８８が、払出軸８２を中心とした円盤として一体に設けられる。被検出体４５は、従動歯車４４の右面に一体に設けられる。被検出体４５は、払出軸８２を中心とした環状壁として構成される。被検出体４５には、図外の被検出部が設けられる。被検出部は、被検出体４５の直径線上に位置して相対峙する一対であって、被検出体４５の右面から左側に向かう内部に窪み、被検出体４５の右側と内側および外側に開口する溝として構成される。位置検出器６６が電力供給を受け、検出光が位置検出器６６の凹部の一側を形成する発光部から凹部の他側を形成する受光部に照射された状態において、被検出体４５が従動歯車４４と一体となって回転すると、被検出体４５で遮られていた位置検出器６６の検出光が被検出体４５の２分の１回転ごとに被検出部を通過して受光部で受光される。これによって、位置検出器６６が従動歯車４４の回転位置を従動歯車４４の２分の１回転ごとに１回検出して回転位置信号を図外の制御装置に出力する。制御装置は回転位置信号を入力して払出構造体４の回転数が設定値となるように払出モータ１３を制御する。
【００１５】
中継基板４１の左側には切替構造体９４が設けられ、切替構造体９４の左側には検出構造体１４４が設けられる。切替構造体９４は、箱底５７より立設された取付部９５に取り付けられる。切替構造体９４の基盤９０には払出構造体４の払出軸８２を通すための逃げ穴９１が形成される。基盤９０の右側には逃げ穴９１の周囲を窪ませた歯車受部９２が設けられ、歯車受部９２に従動歯車４４の突起８８が回転可能に挿入されることで払出軸８６の従動歯車４４が回転可能に保持される。基盤９０の左側には球抜通路１００が形成されるとともに切替弁９７と切替弁９７を駆動するソレノイドのような切替駆動源９６（図２参照）とが設けられる。基盤９０の右側には球抜通路１００を通過する球を検知する抜球検知体１２６が設けられる。
【００１６】
検出構造体１４４は、機構躯体６の開口１４５を塞ぐ蓋のように機構躯体６の開口１４５の周りの周壁１４６に基盤１５０が係合固定される（図２参照）。検出構造体１４４の基盤１５０には、払出構造体４を通し、かつ、上開口２１と連接して払出機構３に球を取り込む取込口１５１が形成される。取込口１５１の下部には基盤１５０より左側に突出する球検出器ホルダ１５２を備え、球検出器ホルダ１５２に払出球検出器５が保持されている。基盤１５０の右側で取込口１５１の下部には賞球通路１５３が設けられる。
【００１７】
図１を参照し、球が球貯蔵部１０の払出収容部１２から賞球通路１５３に払い出される動作について説明する。制御装置が図２の切替駆動源９６への電力供給を遮断し、切替弁９７が弁軸１１８より真上に垂直状に突出して払出構造体４の払出軸８２と交差している。その状態において、制御装置が賞球払出処理によって払出モータ１３を一方向に駆動し、払出モータ１３が払出構造体４を払出軸８２の周方向に回転する。これによって、螺旋体８５の隙間に取り込まれた球が、払出構造体４の一方向への駆動に伴い払出収容部１２から上開口２１及び取込口１５１を通過して払出機構３の方に移動されて球Ｐ２となる。球Ｐ２は、螺旋体８５から外れて自重で落下する。
【００１８】
この落下する球Ｐ２は、矢印Ｘ１で示すように、垂直状に突出した切替弁９７によって、抜球通路部１００の方向に行かないように遮られ、賞球通路１５３に案内され、賞球通路１５３から下方に払い出される。賞球通路１５３を落下する球Ｐ２は、払出球検出器５で検出される。払出球検出器５は、球Ｐ２を検出するごとに、払出検出信号を制御装置に出力する。制御装置は、払出検出信号をカウントアップまたはカウントダウンすることによって、球払出装置１から賞球として払い出される球の個数を管理し、払出モータ１３を停止する。カウントアップの場合、カウントアップした値が払出モータ１３を一方向に駆動するきっかけとなった賞球払出数に一致すると、制御装置が払出モータ１３を停止する。カウントダウンの場合、払出モータ１３を一方向に駆動するきっかけとなった賞球払出数を払出検出信号の入力ごとに減算し、賞球払出数がゼロになると、制御装置が払出モータ１３を停止する。
【００１９】
図１を参照し、球Ｐ２が球貯蔵部１０の払出収容部１２から抜球通路１００に払い出される動作について説明する。制御装置が図２の切替駆動源９６に電力を供給し、切替弁９７が仮想線で示されるように弁軸１１８を中心としてタンク構造体２の側に回転して払出構造体４の払出軸８２よりも下部に配置される。その状態において、制御装置が抜球払出処理によって払出モータ１３を一方向に駆動し、払出モータ１３が払出構造体４を払出軸８２の周方向に回転する。これによって、螺旋体８５の隙間に取り込まれた球が、払出構造体４の一方向への駆動に伴い払出収容部１２から上開口２１及び取込口１５１を通過して払出機構３の方に移動されて球Ｐ２となる。球Ｐ２は、螺旋体８５から外れて自重で下方に落下する。
【００２０】
この落下する球Ｐ２は、矢印Ｘ２で示すように、タンク構造体２の側に斜めに突出した切替弁９７によって、賞球通路１５３の方向に行かないように遮られ、抜球通路１００に案内され、抜球通路１００から下方に払い出される。抜球通路１００を落下する球Ｐ２は、抜球感知体１２６を中継基板４１の方向に押す。抜球感知体１２６の下部が、感知軸１３２を中心として抜球検出器６７の方向に回転し、被検出部１３５が抜球検出器６７で検出される。抜球検出器６７は、被検出部１３５を検出するごとに、球抜き検出信号を制御装置に出力する。制御装置は、球抜き検出信号の入力される時間の間隔によって、球払出装置１から抜球として払い出される球がタンク構造体２に存在するか否かを管理し、払出モータ１３を停止する。抜球として払い出される球がタンク構造体２に存在する場合、払出モータ１３の回転数が一定であれば、球抜き検出信号の入力される時間の間隔は、螺旋体８５における払出軸８２の軸心と平行な方向の間隔（ピッチ）によって一定となる。そして、抜球として払い出される球がタンク構造体２に不在になると、球抜き検出信号の入力される時間の間隔が上記一定の時間の間隔以上となる。よって、球抜き検出信号の入力される時間の間隔が一定の時間の間隔以上となると、制御装置が払出モータ１３を停止する。
【００２１】
図４を参照し、球払出装置１を備えた遊技機について説明する。遊技機の遊技機枠１７３は、固定枠１７４の前側に可動枠１７５を開閉可能に備える。固定枠１７４は、遊技店の島と呼ばれる遊技機設置構造体に取り付けられる外枠とも呼ばれる。可動枠１７５は、遊技盤や制御装置など遊技に必要な部品を取り付ける前枠とも呼ばれる。可動枠１７５は、左側に位置するヒンジ１７６を中心とし、固定枠１７４の前側で前側に開かれかつ後側に閉じられるように、片開き可能である。可動枠１７５には、開口部１７７が、前後方向の貫通孔として設けられる。開口部１７７は、遊技盤の裏面に取り付けられた球案内構造体や制御装置などの裏側部品を可動枠１７５の前側から裏側に貫通させるか、または、遊技盤の前面に取り付けられたガイドレールや入賞部品などの前側部品を可動枠１７５の裏側から前側に貫通させるためのものである。
【００２２】
球払出装置１では、タンク構造体２が、開口部１７７の上部に位置するように、可動枠１７５の裏面に、ねじのような固着具で、可動枠１７５の裏側から取り付けられる。中継樋３１の下部には、案内樋１７８が接続される。案内樋１７８は、開口部１７７の右側に位置するように、可動枠１７５の裏面に、ねじのような固着具で、可動枠１７５の裏側から取り付けられ、賞球通路１７９および抜球通路１８０を備える。賞球通路１７９は、中継樋３１の賞球通路３２に繋がる。賞球通路１７９から排出される球は、受樋１８１で受け止められる。受樋１８１は、開口部１７７の下部に位置するように、可動枠１７５の裏面に、ねじのような固着具で、可動枠１７５の裏側から取り付けられる。受樋１８１で受け止められた球は、受樋１８１から図外の皿構造体の受皿部に排出される。皿構造体は、可動枠１７５の前面に取り付けられる。皿構造体の受皿部は、遊技者が遊技に使用する球を入れる部分である。そして、球が受皿部に存在する状態において、遊技者が皿構造体の前面に設けられた発射操作機構を操作すると、皿構造体の裏側に位置するように、可動枠１７５の前面に取り付けられた発射機構が受皿部から供給された球を１個ずつ遊技盤のガイドレールで囲まれた内側の遊技領域に向けて発射する。抜球通路１８０は、中継樋３１の抜球通路３３に繋がる。抜球通路１８０から排出される球は、可動枠１７５の裏側から遊技機設置構造体の回収機構に排出される。回収機構に排出された球は、遊技機設置構造体の補給機構に戻される。
【００２３】
最良の形態１によれば、払出構造体４が払出構造体４の前側から裏側のＸ方向（図３参照）に回転する場合、払出構造体４の前側に存在する球Ｐ２が螺旋体８５から上向きの力を受けるので球収容底面２０１（図１参照）から持ち上げられた後に払出球検出器５の側に自重落下する。しかしながら、螺旋体８５が賞球通路１５３の入口１５６の真上及び球抜通路１００の入口１５７の真上に存在しないように賞球通路１５３よりも払出軸８２の左端部８３側に配置された構成としたことで、賞球通路１５３の入口１５６の前や球抜通路１００の入口１５７の前で、球Ｐ２が、螺旋体８５と螺旋体８５の周辺の切替構造体９４や検出構造体１４４のような構造体との間に挟まれることが少なくなり、球詰まりを少なくできる。
【００２４】
最良の形態１によれば、さらに、螺旋体８５により形成される球間隔Ｈを１８ｍｍに設定し、払出モータ１３の回転数を、１分間に球を７５０個払出せるように払出構造体４を回転させる値に設定したことによって、球Ｐ２に続いて螺旋体８５で運搬される球Ｐ３が、球Ｐ２を横方向に突くように球Ｐ２に衝突することを防止でき、球詰まりを少なくできた。すなわち、１分間当たり７５０個という多くの球を払い出せるとともに球詰まりを少なくできた。
【００２５】
最良の形態１によれば、タンク構造体２の球貯蔵部１０の供給口１１から下方に突出した払出収容部１２に配置された払出構造体４が、球貯蔵部１０から供給口１１に向けて移動する球から受ける球圧の方向と払出構造体４により球を球出口に向けて移動する方向とが同じ方向となるように、払出モータ１３で一方向に駆動されるので、払出構造体４が円滑に回転し、球詰まりを発生しにくく、球貯蔵部１０から球を円滑に払い出すことができるという利点がある。球が払い出される過程において、球払出装置１の内部に球詰まりが発生した場合、作業者が止ねじ７を球払出装置１から取り外した後、作業者が上記払出構造体４および払出球検出器５のタンク構造体２への挿入方向と逆方向に払出機構３を引き出すことによって、払出機構３がタンク構造体２から取り外されるので、球が詰まったとしても詰まった球を球払出装置１の内部から除去する保守作業が容易であるという利点がある。
【００２６】
最良の形態２
図５乃至図７は、最良の形態２を示す。図５は、球払出装置の構成を分解して示す。図６は球払出装置の断面を示す。図７は、球払出装置の払出構造体と賞球通路及び球抜通路との関係を示す。最良の形態２による球払出装置１の払出機構３は、払出構造体４の前後側において払出軸８２に沿った方向と上下に直交する方向に弁軸１２３を回転中心として互いに近接し合う方向に回転する相対峙する切替弁１２１；１２２を備えた構成である。そして、中継樋３１の賞球通路３２及び抜球通路３３の入口が、払出構造体４の前後方向に一直線状に配置される。したがって、最良の形態２の球払出装置１によれば、最良の形態１の球払出装置１により得られる効果以外に、賞球通路３２及び抜球通路３３の入口の左右方向の幅長を短くできるため、賞球通路３２及び抜球通路３３の入口の左右に部品配置スペースを確保できるという効果が得られる。
【００２７】
最良の形態３
図８は、最良の形態３による球払出装置の構成を分解して示す。最良の形態３による球払出装置１の払出機構３は、中継樋の下部に連結される案内樋の内部に切替弁９７を設けた。すなわち、払出球検出器５の下流に切替弁９７を設けた。したがって、最良の形態３の球払出装置１によれば、最良の形態１の球払出装置１により得られる効果以外に、切替弁９７の設置スペースを広く確保でき、切替弁９７のリンク機構９７Ａの構成を簡単にできるという効果が得られる。
【産業上の利用可能性】
【００２８】
本発明の球払出装置１は、パチンコ機や、球を遊技媒体とした払出球数の多いスロットマシンに採用すれば効果的である。すなわち、メダルを遊技媒体としたスロットマシンにおけるメダル１枚の価値と球を遊技媒体としたスロットマシンにおける複数の球（例えば５個）の価値とが等価であり、このため、球を遊技媒体としたスロットマシンの場合は、メダルを遊技媒体としたスロットマシンのメダル払出数より多くの球払出数が必要となるからである。
【図面の簡単な説明】
【００２９】
【図１】球払出装置の断面図（最良の形態１）。
【図２】球払出装置の分解斜視図（最良の形態１）。
【図３】球払出装置の払出構造体と賞球通路及び球抜通路との関係を上から見た図（最良の形態１）。
【図４】球払出装置を備えた遊技機を裏側から見た図（最良の形態１）。
【図５】球払出装置の分解斜視図（最良の形態２）。
【図６】球払出装置の断面図（最良の形態２）。
【図７】球払出装置の払出構造体と賞球通路及び球抜通路との関係を上から見た図（最良の形態２）。
【図８】球払出装置の分解斜視図（最良の形態３）。
【図９】従来の球払出装置による球払出動作の説明図。
【符号の説明】
【００３０】
１  球払出装置、２  タンク構造体、４  払出構造体、８２  払出軸、８５  螺旋体、
１００  球抜通路（球通路）、１５３  賞球通路（球通路）、
１５６；１５７  球通路の入口。
【図１】
2007135993.tif 000003
【図２】
2007135993.tif 000004
【図３】
2007135993.tif 000005
【図４】
2007135993.tif 000006
【図５】
2007135993.tif 000007
【図６】
2007135993.tif 000008
【図７】
2007135993.tif 000009
【図８】
2007135993.tif 000010
【図９】
2007135993.tif 000011